(57)【特許請求の範囲】
【請求項１】
基地局装置と、前記基地局装置に接続された複数のアンテナを備えたセルラ型の無線通信システムにおいて、
前記基地局装置は、各アンテナから、アンテナを識別するためのアンテナＩＤを送信し、
前記基地局装置は、アンテナＩＤによって、端末装置が送信可能なレンジングコードの群を限定することを記載した情報を含むメッセージを報知し、
端末装置は、前記メッセージを受信し、且つアンテナＩＤを識別した上で、前記情報に基づき、該当するレンジングコードの群から、レンジングコードをひとつ選択し、そのレンジングコードを送信し、
前記基地局装置は、前記情報に基づき、アンテナＩＤに該当するレンジングコードの群から、受信したレンジングコードを検出する
ことを特徴とする無線通信システム。
【請求項２】
基地局装置と、前記基地局装置に接続された複数のアンテナを備えたセルラ型の無線通信システムにおいて、
前記基地局装置は、各アンテナから、アンテナを識別するためのアンテナＩＤを送信し、
前記基地局装置は、アンテナＩＤによって、端末装置がレンジングコードを送信可能な送信タイミングを限定することを記載した情報を含むメッセージを報知し、
端末装置は、前記メッセージを受信し、且つアンテナＩＤを識別した上で、前記情報に基づき、レンジングコードを指定されたタイミングにおいて送信し、
前記基地局装置は、前記情報に基づき、アンテナＩＤに該当する送信タイミングにおいて、受信したレンジングコードを検出する
ことを特徴とする無線通信システム。
【請求項３】
基地局装置と、前記基地局装置に接続された複数のアンテナを備えたセルラ型の無線通信システムにおいて、
通信状態又は同期状態で、
前記基地局装置は、各アンテナから、アンテナを識別するためのアンテナＩＤを送信し、
端末装置は、前記基地局装置が送信するアンテナＩＤを受信し、良好な受信特性を確保できるアンテナのアンテナＩＤが変化した際に、前記基地局装置に対して、アンテナグループの変更を通知し、
前記基地局装置は、端末装置毎にアンテナグループを管理し、前記通知を受信すると、変更後のアンテナグループ内のひとつ又は複数のアンテナに限定して、受信したレンジングコードを検出する
ことを特徴とする無線通信システム。
【請求項４】
基地局装置と、前記基地局装置に接続された複数のアンテナを備えたセルラ型の無線通信システムにおける無線通信方法であって、
前記基地局装置は、各アンテナから、アンテナを識別するためのアンテナＩＤを送信し、
前記基地局装置は、アンテナＩＤによって、端末装置が送信可能なレンジングコードの群を限定することを記載した情報を含むメッセージを報知し、
端末装置は、前記メッセージを受信し、且つアンテナＩＤを識別した上で、前記情報に基づき、該当するレンジングコードの群から、レンジングコードをひとつ選択し、そのレンジングコードを送信し、
前記基地局装置は、前記情報に基づき、アンテナＩＤに該当するレンジングコードの群から、受信したレンジングコードを検出する
ことを特徴とする無線通信方法。
【請求項５】
基地局装置と、前記基地局装置に接続された複数のアンテナを備えたセルラ型の無線通信システムおける無線通信方法であって、
前記基地局装置は、各アンテナから、アンテナを識別するためのアンテナＩＤを送信し、
前記基地局装置は、アンテナＩＤによって、端末装置がレンジングコードを送信可能な送信タイミングを限定することを記載した情報を含むメッセージを報知し、
端末装置は、前記メッセージを受信し、且つアンテナＩＤを識別した上で、前記情報に基づき、レンジングコードを指定されたタイミングにおいて送信し、
前記基地局装置は、前記情報に基づき、アンテナＩＤに該当する送信タイミングにおいて、受信したレンジングコードを検出する
ことを特徴とする無線通信方法。
【請求項６】
基地局装置と、前記基地局装置に接続された複数のアンテナを備えたセルラ型の無線通信システムおける無線通信方法であって、
通信状態又は同期状態で、
前記基地局装置は、各アンテナから、アンテナを識別するためのアンテナＩＤを送信し、
端末装置は、前記基地局装置が送信するアンテナＩＤを受信し、良好な受信特性を確保できるアンテナのアンテナＩＤが変化した際に、前記基地局装置に対して、アンテナグループの変更を通知し、
前記基地局装置は、端末装置毎にアンテナグループを管理し、前記通知を受信すると、変更後のアンテナグループ内のひとつ又は複数のアンテナに限定して、受信したレンジングコードを検出する
ことを特徴とする無線通信方法。
【請求項７】
基地局装置と、前記基地局装置に接続された複数のアンテナを備えたセルラ型の無線通信システムおける基地局装置であって、
前記基地局装置は、各アンテナから、アンテナを識別するためのアンテナＩＤを送信し、
前記基地局装置は、アンテナＩＤによって、端末装置が送信可能なレンジングコードの群を限定することを記載した情報を含むメッセージを報知し、
端末装置が、前記メッセージを受信し、且つアンテナＩＤを識別した上で、前記情報に基づき、該当するレンジングコードの群から、レンジングコードをひとつ選択し、そのレンジングコードを送信した信号を、前記基地局装置は受信し、
前記基地局装置は、前記情報に基づき、アンテナＩＤに該当するレンジングコードの群から、受信したレンジングコードを検出する
ことを特徴とする基地局装置。
【請求項８】
基地局装置と、前記基地局装置に接続された複数のアンテナを備えたセルラ型の無線通信システムおける基地局装置であって、
前記基地局装置は、各アンテナから、アンテナを識別するためのアンテナＩＤを送信し、
前記基地局装置は、アンテナＩＤによって、端末装置がレンジングコードを送信可能な送信タイミングを限定することを記載した情報を含むメッセージを報知し、
端末装置が、前記メッセージを受信し、且つアンテナＩＤを識別した上で、前記情報に基づき、レンジングコードを指定されたタイミングにおいて送信した信号を、前記基地局装置は受信し、
前記基地局装置は、前記情報に基づき、アンテナＩＤに該当する送信タイミングにおいて、受信したレンジングコードを検出する
ことを特徴とする基地局装置。
【請求項９】
基地局装置と、前記基地局装置に接続された複数のアンテナを備えたセルラ型の無線通信システムおける基地局装置であって、
通信状態又は同期状態で、
前記基地局装置は、各アンテナから、アンテナを識別するためのアンテナＩＤを送信し、
端末装置が、前記基地局装置が送信するアンテナＩＤを受信し、良好な受信特性を確保できるアンテナのアンテナＩＤが変化した際に、前記基地局装置は、アンテナグループの変更を通知され、
前記基地局装置は、端末装置毎にアンテナグループを管理し、前記通知を受信すると、変更後のアンテナグループ内のひとつ又は複数のアンテナに限定して、受信したレンジングコードを検出する
ことを特徴とする基地局装置。
【請求項１０】
端末装置と、基地局装置と、前記基地局装置に接続された複数のアンテナを備えたセルラ型の無線通信システムにおける端末装置であって、
前記基地局装置から、各アンテナから、アンテナを識別するためのアンテナＩＤを、前記端末装置は受信し、
前記基地局装置から、アンテナＩＤによって、端末装置が送信可能なレンジングコードの群を限定することを記載した情報を含むメッセージを、前記端末装置は報知され、
前記端末装置は、前記メッセージを受信し、且つアンテナＩＤを識別した上で、前記情報に基づき、該当するレンジングコードの群から、レンジングコードをひとつ選択し、そのレンジングコードを送信し、
前記基地局装置に、前記情報に基づき、アンテナＩＤに該当するレンジングコードの群から、受信したレンジングコードを検出させる
ことを特徴とする端末装置。
【請求項１１】
端末装置と、基地局装置と、前記基地局装置に接続された複数のアンテナを備えたセルラ型の無線通信システムにおける端末装置であって、
前記基地局装置から、各アンテナから、アンテナを識別するためのアンテナＩＤを、前記端末装置は受信し、
前記基地局装置から、アンテナＩＤによって、端末装置がレンジングコードを送信可能な送信タイミングを限定することを記載した情報を含むメッセージを、前記端末装置は報知され、
前記端末装置は、前記メッセージを受信し、且つアンテナＩＤを識別した上で、前記情報に基づき、レンジングコードを指定されたタイミングにおいて送信し、
前記基地局装置に、前記情報に基づき、アンテナＩＤに該当する送信タイミングにおいて、受信したレンジングコードを検出させる
ことを特徴とする端末装置。
【請求項１２】
端末装置と、基地局装置と、前記基地局装置に接続された複数のアンテナを備えたセルラ型の無線通信システムにおける端末装置であって、
通信状態又は同期状態で、
前記基地局装置から、各アンテナから、アンテナを識別するためのアンテナＩＤを、前記端末装置は受信し、
前記端末装置は、前記基地局装置が送信するアンテナＩＤを受信し、良好な受信特性を確保できるアンテナのアンテナＩＤが変化した際に、前記基地局装置に対して、アンテナグループの変更を通知し、
前記基地局装置に、端末装置毎にアンテナグループを管理し、前記通知を受信すると、変更後のアンテナグループ内のひとつ又は複数のアンテナに限定して、受信したレンジングコードを検出させる
ことを特徴とする端末装置。
【発明の詳細な説明】
【技術分野】
【０００１】
本発明は、無線通信システム及び方法、基地局装置、端末装置に係り、特に、セルラ型の無線通信で、多数のアンテナが分散的に配置されるシステムにおける同期信号を送受信するための無線通信システム及び方法、基地局装置、端末装置に関する。
【背景技術】
【０００２】
無線通信では、例えば、ＷｉＭＡＸシステムにおいては、レンジング（Ｒａｎｇｉｎｇ）と呼ばれる移動機が送信する信号（同期信号）がある。基地局は、移動機が初期アクセス時に送信する、あるいは定期的に送信する、レンジングを受信し、その受信タイミングの遅れを検知して、これを補正するための制御信号を該当移動機に向けて送信する。移動機はタイミング補正の信号を受けて、送信信号のタイミングを補正する仕組みを持つ。
【０００３】
また、レンジングについては、移動機は、非通信状態から通信状態に遷移するときにもレンジングを送信し、システムタイミングへの同期を行う。
本技術の背景技術として、例えば、ＩＥＥＥ８０２．１６ｅ（非特許文献１）がある。この標準文書には、移動機が送信するレンジングについて記載されている。レンジングは非同期状態で送信するものと、同期状態で送信する２種が記載されている。
【０００４】
非同期状態で送信するレンジングは、主に非通信状態から、通信状態に遷移するときに送信するもので、システムタイミングへの同期を目的とする。移動機は、予め基地局が範囲を指定する複数のコードから、ランダムに特定のコードを選択し、基地局が指定するタイミングにおいて選択したコードのレンジングを送信する。基地局は、自らが指示したレンジングを受信するタイミングにおいて、移動機が送信した信号を受信する。但し、基地局は、どのコードが受信できるか不明であるため、候補となる全てのコードについて、受信信号との相関演算を行い、受信したレンジングを検出する計算が必要である。また、基地局は、レンジングの受信タイミングずれも検出する。基地局は、移動機が送信してきた信号のタイミングが、基地局が期待するタイミングに対して遅れているか、進んでいるかを測定し、受信タイミングが正しい範囲になるように、タイミング補正のメッセージを送信する。
【０００５】
同期状態で送信するレンジングは、主に通信状態において送信するレンジングで、移動機の移動に伴って変化する受信タイミングを常に正しいタイミングとなるように制御するために使われる。基地局は、移動機に対して、レンジングを送信可能なタイミングを指示する。また、基地局がレンジングコードを指定している。移動機は、他の信号を送信していないなど、条件に従って送信可能なタイミングにおいてレンジングが送信可能かを判断し、送信可能であれば、指定されたレンジングコードを使って、レンジングを送信する。
【先行技術文献】
【非特許文献】
【０００６】
【非特許文献１】ＩＥＥＥ８０２．１６e
【発明の概要】
【発明が解決しようとする課題】
【０００７】
従来の基地局では、基地局本体はアンテナが設置される建物等のサイト側にあった。しかし、最近、１つの基地局装置が、多数のアンテナを持ち、且つ、そのアンテナが基地局本体の設置される建物等のサイトから離れ、分散配置されたシステムである、ＤＡＳ（Ｄｉｓｔｒｉｂｕｔｅｄ  Ａｎｔｅｎｎａ  Ｓｙｓｔｅｍ）が注目されている。
【０００８】
ここで、ＤＡＳについて説明する。ＤＡＳでは、１つの基地局が多数のアンテナヘッドに接続する。各アンテナヘッドは、異なる信号を送信することができ、下りのＭＩＭＯ（Ｍｕｌｔｉ  Ｉｎｐｕｔ  Ｍｕｌｔｉ  Ｏｕｔｐｕｔ）送信が可能である。ＤＡＳでは、基地局本体は、従来のように、複数あるアンテナ全てを用いて特定の移動機と接続している訳ではなく、多数あるアンテナの内、特定のアンテナを選択し、これを利用して通信を行っている。
【０００９】
特定のアンテナを選択するのは、例えば、全てのアンテナを使って処理を行うと単一移動機当りの処理負荷が膨大となること、必要以上のアンテナを利用しても、干渉の影響が増えるのみでシステム効率が上がらないこと、が理由である。
アンテナ数が増えた場合に、処理負荷が極端に大きくなるのは、レンジングの受信である。以下では、多数のアンテナを使い、レンジングを受信する場合の課題について説明する。
【００１０】
移動機がシステム同期するために送信するレンジングには、２種類の信号がある。
第１に、非同期状態で送信するレンジング（非同期レンジング）は、移動機がコードをランダムに選択して送信する。このため、基地局では、どのコードを受信するべきかわからず、候補となる複数のコード全てについての相関演算を実施して、コードを検出する必要がある。また、この場合には、基地局にとっては、移動機がどこにいるのか不明である。ＤＡＳにおいては、どのアンテナで受信した信号に対して相関演算を行えばよいのか不明である。期待する信号が含まれていない受信アンテナの信号を処理しても、干渉やノイズの影響が増えるのみで、処理量も膨大になってしまう。例えば、１台の基地局が、１００本ものアンテナをもつＤＡＳを考えると、従来に比べ、その処理負荷が膨大となることは容易に想像できよう。これが第１の課題である。
【００１１】
第２に、移動機がシステムに同期中に送信するレンジング（同期レンジング）は、基地局がコードを指定している。非同期状態に比べて選択肢が限られるため処理負荷は軽い。しかし、移動機は移動を続けるため、基地局が同一のアンテナだけでサーチし続けても、次第に移動機が、サーチを行っているアンテナ群から外れてしまい、サーチが無意味になってしまうことが考えられる。第１の課題と同様で、基地局側の処理負荷を殆ど上昇させずに、レンジングをサーチするアンテナ群を更新しながら最適に保っていくための仕組みが従来はなかった。これが第２の課題である。
【００１２】
本発明は、以上の点に鑑み、基地局は、移動機等の端末との通信に最適なアンテナを使ってレンジングを受信し、信号処理の負荷を低減することを、ひとつの目的とする。
また、本発明は、移動機等の端末の移動に伴ってレンジング受信に利用するアンテナを制御し、必要なアンテナだけを使ってレンジング信号を受信処理することで、基地局側の負荷を低減することを、他の目的とする。
【課題を解決するための手段】
【００１３】
上記課題は、基地局装置は複数のアンテナと接続し、各アンテナからは、アンテナを識別するためのアンテナＩＤが送信されているセルラ型の無線システムにおいて、基地局装置は、アンテナＩＤによって、移動機等の端末が送信可能なレンジングコードの群を限定することを記載したメッセージを報知し、移動機等の端末は、上記のメッセージを受信し、且つアンテナＩＤを識別した上で、該当するレンジングコードの群から、レンジングコードを選択し、そのレンジングコードを送信することを特徴とする無線システム及び方法、基地局装置、端末装置によって解決される。
【００１４】
また、上記課題は、基地局装置は複数のアンテナと接続し、各アンテナからは、アンテナを識別するためのアンテナＩＤが送信されているセルラ型の無線システムにおいて、基地局装置は、アンテナＩＤによって、移動機等の端末が送信可能なレンジングコードの送信タイミングを限定することを記載したメッセージを報知し、移動機等の端末は、上記のメッセージを受信し、且つアンテナＩＤを識別した上で、レンジングコードを指定されたタイミングにおいて送信することを特徴とする無線システム及び方法、基地局装置、端末装置によって解決される。
【００１５】
また、上記課題は、基地局装置は複数のアンテナと接続し、各アンテナからは、アンテナを識別するためのアンテナＩＤが送信されているセルラ型の無線システムにおいて、移動機等の端末は、良好な受信特性を確保できるアンテナのＩＤが変化した際に、基地局装置に対して、アンテナグループの変更を通知する仕組みをもち、基地局装置は、移動機等の端末毎にアンテナグループを管理し、アンテナグループに従ってレンジングコードの検出を行い、全アンテナに関するレンジングのサーチを行わないことを特徴とする無線システム及び方法、基地局装置、端末装置によって解決される。
【００１６】
本発明の第１の解決手段によると、
基地局装置と、前記基地局装置に接続された複数のアンテナを備えたセルラ型の無線通信システム及び方法において、
前記基地局装置は、各アンテナから、アンテナを識別するためのアンテナＩＤを送信し、
前記基地局装置は、アンテナＩＤによって、端末装置が送信可能なレンジングコードの群を限定することを記載した情報を含むメッセージを報知し、
端末装置は、前記メッセージを受信し、且つアンテナＩＤを識別した上で、前記情報に基づき、該当するレンジングコードの群から、レンジングコードをひとつ選択し、そのレンジングコードを送信し、
前記基地局装置は、前記情報に基づき、アンテナＩＤに該当するレンジングコードの群から、受信したレンジングコードを検出する
ことを特徴とする無線通信システム及び方法が提供される。
【００１７】
本発明の第２の解決手段によると、
基地局装置と、前記基地局装置に接続された複数のアンテナを備えたセルラ型の無線通信システム及び方法において、
前記基地局装置は、各アンテナから、アンテナを識別するためのアンテナＩＤを送信し、
前記基地局装置は、アンテナＩＤによって、端末装置がレンジングコードを送信可能な送信タイミングを限定することを記載した情報を含むメッセージを報知し、
端末装置は、前記メッセージを受信し、且つアンテナＩＤを識別した上で、前記情報に基づき、レンジングコードを指定されたタイミングにおいて送信し、
前記基地局装置は、前記情報に基づき、アンテナＩＤに該当する送信タイミングにおいて、受信したレンジングコードを検出する
ことを特徴とする無線通信システム及び方法が提供される。
【００１８】
本発明の第３の解決手段によると、
基地局装置と、前記基地局装置に接続された複数のアンテナを備えたセルラ型の無線通信システム及び方法において、
通信状態又は同期状態で、
前記基地局装置は、各アンテナから、アンテナを識別するためのアンテナＩＤを送信し、
端末装置は、前記基地局装置が送信するアンテナＩＤを受信し、良好な受信特性を確保できるアンテナのアンテナＩＤが変化した際に、前記基地局装置に対して、アンテナグループの変更を通知し、
前記基地局装置は、端末装置毎にアンテナグループを管理し、前記通知を受信すると、変更後のアンテナグループ内のひとつ又は複数のアンテナに限定して、受信したレンジングコードを検出する
ことを特徴とする無線通信システム及び方法が提供される。
【００１９】
本発明の第４の解決手段によると、
基地局装置と、前記基地局装置に接続された複数のアンテナを備えたセルラ型の無線通信システムおける基地局装置であって、
前記基地局装置は、各アンテナから、アンテナを識別するためのアンテナＩＤを送信し、
前記基地局装置は、アンテナＩＤによって、端末装置が送信可能なレンジングコードの群を限定することを記載した情報を含むメッセージを報知し、
端末装置が、前記メッセージを受信し、且つアンテナＩＤを識別した上で、前記情報に基づき、該当するレンジングコードの群から、レンジングコードをひとつ選択し、そのレンジングコードを送信した信号を、前記基地局装置は受信し、
前記基地局装置は、前記情報に基づき、アンテナＩＤに該当するレンジングコードの群から、受信したレンジングコードを検出する
ことを特徴とする基地局装置が提供される。
【００２０】
本発明の第５の解決手段によると、
基地局装置と、前記基地局装置に接続された複数のアンテナを備えたセルラ型の無線通信システムおける基地局装置であって、
前記基地局装置は、各アンテナから、アンテナを識別するためのアンテナＩＤを送信し、
前記基地局装置は、アンテナＩＤによって、端末装置がレンジングコードを送信可能な送信タイミングを限定することを記載した情報を含むメッセージを報知し、
端末装置が、前記メッセージを受信し、且つアンテナＩＤを識別した上で、前記情報に基づき、レンジングコードを指定されたタイミングにおいて送信した信号を、前記基地局装置は受信し、
前記基地局装置は、前記情報に基づき、アンテナＩＤに該当する送信タイミングにおいて、受信したレンジングコードを検出する
ことを特徴とする基地局装置が提供される。
【００２１】
本発明の第６の解決手段によると、
基地局装置と、前記基地局装置に接続された複数のアンテナを備えたセルラ型の無線通信システムおける基地局装置であって、
通信状態又は同期状態で、
前記基地局装置は、各アンテナから、アンテナを識別するためのアンテナＩＤを送信し、
端末装置が、前記基地局装置が送信するアンテナＩＤを受信し、良好な受信特性を確保できるアンテナのアンテナＩＤが変化した際に、前記基地局装置は、アンテナグループの変更を通知され、
前記基地局装置は、端末装置毎にアンテナグループを管理し、前記通知を受信すると、変更後のアンテナグループ内のひとつ又は複数のアンテナに限定して、受信したレンジングコードを検出する
ことを特徴とする基地局装置が提供される。
【００２２】
本発明の第７の解決手段によると、
端末装置と、基地局装置と、前記基地局装置に接続された複数のアンテナを備えたセルラ型の無線通信システムにおける端末装置であって、
前記基地局装置から、各アンテナから、アンテナを識別するためのアンテナＩＤを、前記端末装置は受信し、
前記基地局装置から、アンテナＩＤによって、端末装置が送信可能なレンジングコードの群を限定することを記載した情報を含むメッセージを、前記端末装置は報知され、
前記端末装置は、前記メッセージを受信し、且つアンテナＩＤを識別した上で、前記情報に基づき、該当するレンジングコードの群から、レンジングコードをひとつ選択し、そのレンジングコードを送信し、
前記基地局装置に、前記情報に基づき、アンテナＩＤに該当するレンジングコードの群から、受信したレンジングコードを検出させる
ことを特徴とする端末装置が提供される。
【００２３】
本発明の第８の解決手段によると、
端末装置と、基地局装置と、前記基地局装置に接続された複数のアンテナを備えたセルラ型の無線通信システムにおける端末装置であって、
前記基地局装置から、各アンテナから、アンテナを識別するためのアンテナＩＤを、前記端末装置は受信し、
前記基地局装置から、アンテナＩＤによって、端末装置がレンジングコードを送信可能な送信タイミングを限定することを記載した情報を含むメッセージを、前記端末装置は報知され、
前記端末装置は、前記メッセージを受信し、且つアンテナＩＤを識別した上で、前記情報に基づき、レンジングコードを指定されたタイミングにおいて送信し、
前記基地局装置に、前記情報に基づき、アンテナＩＤに該当する送信タイミングにおいて、受信したレンジングコードを検出させる
ことを特徴とする端末装置が提供される。
【００２４】
本発明の第９の解決手段によると、
端末装置と、基地局装置と、前記基地局装置に接続された複数のアンテナを備えたセルラ型の無線通信システムにおける端末装置であって、
通信状態又は同期状態で、
前記基地局装置から、各アンテナから、アンテナを識別するためのアンテナＩＤを、前記端末装置は受信し、
前記端末装置は、前記基地局装置が送信するアンテナＩＤを受信し、良好な受信特性を確保できるアンテナのアンテナＩＤが変化した際に、前記基地局装置に対して、アンテナグループの変更を通知し、
前記基地局装置に、端末装置毎にアンテナグループを管理し、前記通知を受信すると、変更後のアンテナグループ内のひとつ又は複数のアンテナに限定して、受信したレンジングコードを検出させる
ことを特徴とする端末装置が提供される。
【発明の効果】
【００２５】
本発明よれば、アンテナ数が多数の（例えば、１００本にも届くような）ＤＡＳにおいても、基地局は、移動機等の端末との通信に最適なアンテナを使ってレンジングを受信し、信号処理の負荷を低減することができる。更には、基地局と移動機等の端末とは、その情報を使って、最適なアンテナを利用したＭＩＭＯ送信が可能となる。
また、本発明によれは、移動機等の端末の移動に伴ってレンジング受信に利用するアンテナを制御し、必要なアンテナだけを使ってレンジング信号を受信処理することで、基地局側の負荷を低減することができる。
【図面の簡単な説明】
【００２６】
【図１】ＤＡＳの構成を示す図の例である。
【図２】第１の実施の形態の関連技術のレンジングコードの選択を用いたシーケンス図の例である。
【図３】第１の実施の形態によるレンジングコードの選択を用いたシーケンス図の例である。
【図４】第２の実施の形態によるレンジング送信において、アンテナグループのネゴシエーションを行うシーケンス図の例である。
【図５】ＤＡＳのアンテナヘッドの構成図の例である。
【図６】ＤＡＳの本体装置の構成図の例である。
【図７】レンジングを送信するリソースの例を説明する図。
【図８】第１の実施の形態による基地局が報知するアンテナとレンジングのグループ分けの例である。
【図９】第１の実施の形態による基地局が報知するアンテナとレンジングのグループ分けを移動機に指示するメッセージの例である。
【図１０】第１の実施の形態の変形例による基地局が報知するアンテナとレンジングの送信タイミングのグループ分けの例である。
【図１１】第１の実施の形態の変形例によるレンジングコードの選択を用いたシーケンス図の例である。
【発明を実施するための形態】
【００２７】
以下、実施の形態を図面を用いて説明する。
１．第１の実施の形態
本実施の形態では、ＤＡＳにおいて、基地局がアンテナＩＤとレンジングに縛りを持たせた場合の例を説明する。
また、特に移動機を例に説明するが、これに限らず、本発明は、電話通信やデータ通信等を行う様々な無線端末に適用することができる。
【００２８】
図１は、ＤＡＳの構成図である。基地局本体装置１５０は、有線接続により、多数のアンテナヘッド１００〜１１２と接続している。各アンテナヘッドは、基地局本体装置１５０から送られてきた信号を無線周波数に変換し、空中線（アンテナ）から信号を送信する。また、アンテナヘッドは、空中線が受けた信号をベースバンド信号に変換し、有線接続を介して基地局本体装置１５０に送る役目をもつ。送られてきた信号は、基地局本体装置１５０にて、信号処理がなされて、情報が取り出される。
この様に、移動機１０は、間近なアンテナヘッド（例えば１００）を通じて、基地局本体装置１５０と通信している。各アンテナヘッドについてみると、移動機１０からの信号の受信強度は、移動機に近いほど、あるいは障害物がないほどに高い。従って、全アンテナヘッドではなく、特定のアンテナヘッドを選択し、受信した信号を合成することによって、受信感度を上昇させることができる。
【００２９】
図２は、第１の実施の形態の関連技術のレンジングコードの選択を用いたシーケンス図の例である。
以下に、図２のような、ＤＡＳ以前のシステムにおける、レンジングの送信シーケンスの例を使い、ＤＡＳをサポートするケースを説明する。ＭＳは移動機、ＢＴＳは基地局を示す。図において、まず、移動機は基地局が送信するプリアンブルを受信し（ステップ４００）、基地局の存在を確認する。さらに移動機は、基地局が報知する情報を受信して（ステップ４０１）、レンジングの送信方法についての情報を取得する。「レンジングの送信方法についての情報」とは、例えば、移動機が選択可能な複数のレンジングコード、レンジングコードの送信タイミングの指定等を含むことができる。なお、送信タイミングは、「レンジングの送信方法についての情報」を報知する情報とは別に、基地局から予め移動機に指定することができる（例えば、図２のステップ４００、ステップ４０１、又は、タイミング指示を含む他のメッセージ等による。）。移動機は、取得した結果に基づき、選択可能なレンジングコードから、１つのレンジングコードをランダムに選択する（ステップ４０２）。移動機は選択したレンジングコードを基地局が予め指定するタイミングおよび周波数において送信する（ステップ４０３）。基地局側では、指定するタイミングおよび周波数において受信した信号に対して、レンジングコードが含まれていないかをチェックする（ステップ４０４）。本シーケンス図には記載していないが、基地局は、レンジングを検知した場合には、レンジングに対する応答を移動機に返し、接続処理が行われる。
【００３０】
図５は、アンテナヘッド１００の構成を示す図である。アンテナヘッド１００は、有線にて基地局本体とつながっている。図でポート０（ｐｏｒｔ０）と記載されている側が基地局本体とつながる回線である。アンテナヘッドは基地局本体と、例えばＣＰＲIなどのインターフェースを使ってつながれている。そのため、基地局本体側にはＣＰＲＩのインターフェース部３０４がある。基地局本体から送られてきた下りの送信信号は、インターフェース部３０４にて、変換され、デジタル信号として、無線送信部３０５に入力される。無線送信部３０５では、デジタルの信号をアナログに変換し、周波数の変換、フィルタ、電力増幅などの処理を経て、アンテナから送信可能な無線信号に変換される。変換された信号はスイッチ部３０２を介して、空中線３０１に送られる。本例では、ＴＤＤ（Ｔｉｍｅ  Ｄｉｖｉｓｉｏｎ  Ｄｕｐｌｅｘ）を例に示しており、基地局側から移動機側に信号を送信する下り回線と、移動機側が送信し、基地局側がその信号を受信する上り回線では、図にあるようにスイッチ３０２を介している。周波数で分別するＦＤＤでは、スイッチの代わりに、デュプレクサを用いる。
【００３１】
また、空中線３０１が受信した信号は、スイッチを介して無線受信部３０３に入力され、信号増幅、フィルタ、周波数変換、デジタル信号化などの処理を経て、デジタル信号に変換される。デジタル変換された信号はインターフェース部３０４を介して、基地局本体に送信される。
【００３２】
図６は、基地局本体１５０の構成を示す図である。ＣＰＲＩインターフェース部２０１は、アンテナヘッドとつながる側のインターフェースを行う。受信した信号はメモリ２１７に一旦蓄積される。ＣＰ除去部２０２は、サイクリックプリフィックス（ＣＰ）を取り除く回路である。ＣＰが取り除かれた信号はＦＦＴ部２０３にて、ＦＦＴ処理が行われ、時間領域の情報から、周波数領域の情報に変換される。周波数領域の情報に変換された受信信号は、ＯＦＤＭシンボルやサブキャリヤ、アンテナに分解されており、メッシュ状に配置された情報となっている。その位置によって、データチャネルや制御チャネル等の意味付けがされているので、各チャネルに分解する必要がある。それを行うのが、デマッパ部２０４である。
【００３３】
デマッパ部２０４によって、分解された情報の内、レンジング領域の情報を受けるのが、レンジング検出部２１８である。レンジング検出部２１８では、複数候補があるレンジングコードと、受信信号との相関演算を行ってレンジングコードの検出を行っている。レンジングの検出が行われると、その結果はＤＳＰ２１５に伝えられる。また、レンジング検出部２１８では、検出したレンジングコードの遅延も検出し、検出された遅延量もＤＳＰ２１５に通知されている。
【００３４】
デマッパ部２０４によって、分解された情報の内、パイロット信号を受信するのが伝搬路推定部２０５である。伝搬路推定部２０５では、既知の情報であるパイロットのモジュレーションが解かれ、伝搬路の推定が行われる。パイロットが送信されていない周波数や時間についても、補間などの信号処理によって、伝搬路が推定される。
デマッパ部２０４によって分解されたデータは、ＭＬＤ部２０６に送られ、伝搬路推定部２０５によって推定された伝搬路を使い、ＭＩＭＯとモジュレーションが解かれる。解かれた情報からＬＬＲ（対数尤度比）が求められ、デコーダ部２０７に送られる。送られたＬＬＲから、デコーダ部２０７は、信号の復号を行い、元のデジタル信号を復元する。結果はＤＳＰ部２１５に送られ、メモリ部２２０に一時的に蓄積される。
【００３５】
デマッパ部２０４によって分解された制御信号は、デモジュレーション部２０８に送られる。デモジュレーション部２０８では、伝搬路推定部２０５によって推定された伝搬路を使い、検波が行われる。また、デモジュレーション部２０８では、ビタビデコーダ等を使い、元のデジタル信号が復元され、結果はＤＳＰ部２１５に送られる。
ＤＳＰ部２１５には、制御ソフトウェアが組み込まれており、受信した制御チャネルやレンジングコードの情報を元に、例えば図２で示すようなシーケンスを実施する。また、受信したデータは、ネットワーク側のインターフェース部２１６を介して、ネットワーク側に送信される。
【００３６】
一方、ネットワーク側から送られてきた情報は、ＤＳＰ部２１５に送られ、一時的にメモリ２２０に蓄積される。ＤＳＰ部２１５に内蔵するスケジューラが送信タイミングや変調方式などを決める。送られることが決定した情報は、変調部２０９にて、符号化が行われ、さらにはＱＰＳＫ等の変調が行われる。変調された情報は、マッパ部２１１に送られ、ＯＦＤＭシンボルやサブキャリヤ、アンテナで分かれるメッシュの適切な部分に配置される。
ＤＳＰ部２１５が送信する制御情報（含む報知情報）は、制御チャネル用変調部２１９にて、符号化が行われ、さらにはＱＰＳＫ等の変調が行われる。変調された情報は、マッパ部２１１に送られ、ＯＦＤＭシンボルやサブキャリヤ、アンテナで分かれるメッシュの適切な部分に配置される。
【００３７】
パイロット等の同期に必要となる情報はリファレンス信号生成部２１０にて作成される。各アンテナを識別するためのアンテナＩＤもリファレンス信号生成部２１０が生成する。アンテナＩＤは、アンテナ毎にユニークにつけられた情報系列からなる。移動機では報知されるアンテナの数、種類に関連した報知情報を元に検知するべきアンテナＩＤの全体を知り、順次に受信信号と、アンテナＩＤに関係する系列との相関演算を行って、現在受信している信号の送信源のアンテナを特定することができる。作成された情報は、マッパ部２１１に送られ、ＯＦＤＭシンボルやサブキャリヤ、アンテナで分かれるメッシュの適切な部分に配置される。
【００３８】
マッパ部２１１は、各モジュールから送られてきた情報を適切なＯＦＤＭシンボル、サブキャリヤ、アンテナに配置する。例えばアンテナＩＤはアンテナ毎に異なる情報であるが、各アンテナ用に生成された「ＯＦＤＭシンボル×サブキャリヤ）のメッシュ上に情報が配置される。配置された情報は、空間処理部２１２により、アンテナ毎の処理が実施され、例えばＭＩＭＯ信号として送信するための処理が行われる。ここでの処理では、例えばアンテナの重みづけを行うプリコーディング処理や電力調整などが含まれる。空間処理を行った各アンテナ毎の信号は、ＩＦＦＴ部２１３において、１つのＯＦＤＭシンボル毎に取り出され、ＩＦＦＴ演算により周波数領域の信号から時間領域の信号に変換される。ＣＰ挿入部２１４は、時間領域に変換された信号に対してＣＰを付ける。ＣＰを付けられた情報は、ＣＰＲＩインターフェース部２０１に接続するメモリ２１７に一時的に蓄積され、ＣＰＲＩ対応の信号に変換されてから各アンテナヘッドに送られる。
【００３９】
図７は、周波数×時間軸で表されるリソースに対して、レンジングやデータがどの様に送信されるかを示す図である。図で、縦軸は周波数軸を表わし、横軸は時間軸を表している。時間軸上で、左側のエリアはダウンリンク（基地局→移動機方向）の信号を示し、右側のエリアはアップリンク（移動機→基地局方向）の信号を示す。レンジングは移動機が送信する信号であり、アップリンクの領域に配置される。レンジングは、図でハッチが掛けられている領域、即ちレンジング（Ｒａｎｇｉｎｇ）領域（６０３）にて送信される。このレンジング領域（６０３）は、他の領域、例えばデータを送る領域であるデータ領域（６０４）と、区別されている。
【００４０】
アンテナを識別するための情報は、図の例ではミッドアンプル（Midamble）（６０６）の領域で送信されている。ミッドアンブルはアンテナ毎に送信パタンが異なるように構成された情報であり、図６で説明する基地局本体装置１５０のリファレンス信号生成部２１０で生成される。図７にもミッドアンブルの例を示している。ミッドアンブル（６０６）は、ダウンリンクのデータ領域（６０２）内に配置され、特定のＯＦＤＭシンボルに配置される。ダウンリンクのデータ領域（６０２）内には、このほか、データ領域内のリソースの割当てを示すマップ情報（６０５）が報知されている。プリアンブルは物理層レベルの基地局識別に使われ、その地域でユニークとなるように、隣接する基地局とは異なるコードが送信されるように設定されている。報知情報は、マップ情報（６０５）によってデータ領域上に一時的に構築される。
【００４１】
実際の信号割当て方法は、システムによって異なる場合もある。本発明及び本実施の形態のポイントのひとつは、ダウンリンクにあるアンテナを識別可能な情報（アンテナＩＤ、ミッドアンブル等）を用い、また、報知情報で報知されるアンテナＩＤと関係付けられたレンジングコードの範囲指定を踏まえて、限定されたレンジングコードを基地局に対して送信する仕組みをもったシステムである。
【００４２】
図３は、本発明の第１の実施の形態によるレンジングシーケンスの例である。この例は、主に、非同期状態で送信するレンジングに関するものであり、例えば、非通信状態から通信状態に遷移するときに送信するもので、システムタイミングへの同期を目的とする。
図３において、ＭＳは移動機、ＢＴＳは基地局を示す。また、本実施の形態では、ＤＡＳを想定している。各アンテナは、個別に識別可能な特定のコードをミッドアンプル（あるいはプリアンブル）として送信している。移動機は、基地局が報知する報知情報を予め受信している（ステップ４１０）。移動機は、基地局が送信する報知情報を受信することにより、後述の図８に示すような、「移動機が送信可能なレンジングの情報」についての情報を取得している。また、移動機は、アンテナＩＤ４１１を受信し、最も強い信号を受信できるアンテナを特定している。
【００４３】
本実施の形態では、基地局は、例えば、報知情報によって「移動機が送信可能なレンジングの情報」、基地局ＩＤを報知している。また、基地局は、例えば、ミッドアンブルによってアンテナＩＤを送信している。なお、基地局は、例えばプレアンブルよって基地局ＩＤを報知してもよい。
【００４４】
図８は、第１の実施の形態による基地局が報知するアンテナとレンジングのグループ分けの例である。
「移動機が送信可能なレンジングの情報」は、移動機が受信しているアンテナＩＤと括りつけられたレンジングの情報である。このレンジングの情報は、例えば、図８に示すようなアンテナＩＤと仕様可能なレンジングコードの関係を示している。基地局は、「移動機が送信可能なレンジングの情報」を記憶部に記憶している。移動機は、基地局が送信するアンテナを特定するアンテナＩＤ（ミッドアンプル）を受信すると、そのアンテナＩＤと、報知情報の「移動機が送信可能なレンジングの情報」を使って、送信可能なレンジングコードを導き出す（ステップ４１２参照）。基地局が指示する「移動機が送信可能なレンジングの情報」によって、レンジングコードがアンテナＩＤによって限定されるため、基地局側では、「移動機が送信可能なレンジングの情報」を参照することにより、レンジングを受信するアンテナと受信するレンジングコードに関係が生まれる。その結果、全アンテナについて、全レンジングコードについてのサーチを行う必要がなくなる。その結果、処理負荷が軽減され、前述の第１の課題は解決される。レンジングコードはアンテナによって限定されるが、アンテナ間が離れた場合に同じレンジングコードを繰り返し再利用することで、コードの枯渇にも対応できる。
【００４５】
「基地局ＩＤ」は、基地局を認識させるための情報である。情報は図１の基地局本体装置１５０で生成され、アンテナヘッド１００〜１１２では、同じ基地局ＩＤが送信されている（各アンテナヘッド毎にアンテナＩＤが異なる。）。移動局は、基地局ＩＤを元に１つの基地局と接続し、更にはその上位ネットワークと接続している。基地局ＩＤが変わる場合には、現基地局（サービング局）から、その基地局（ターゲット局）へ接続を移すハンドオーバ処理が必要となる。そうした手順を円滑に実施するために、基地局ＩＤは送信されている。
【００４６】
図３に戻り、ステップ４１２以降の処理について説明する。
例えばアンテナＩＤが１７であったとすると、図８のリストから、レンジングコードとして、０から３までの４つのコードが使用可能であることが分かる。移動機は、その４つのコードの中から、１つのレンジングコードをランダムに（又は予め定められた順序で）選択する（ステップ４１２）。移動機は選択したレンジングコードを基地局が予め指定するタイミングおよび周波数において送信する（ステップ４１３）。なお、送信タイミングは、基地局から予め移動機に指定することができる（例えば、図３のステップ４１０、ステップ４１１、又は、タイミング指示を含む他のメッセージ等による。）。基地局側では、指定するタイミングおよび周波数に加え、特定のアンテナに対して、図８で示す関係をもつレンジングコードを検出する。例えばアンテナが１００本あり、レンジングを２０通り認めるシステムでは、１００×２０＝２０００通りの検出が必要となるが、本実施の形態では、２０本のアンテナ当り、４つのコードを検出すればよいので、２０×４×５＝４００通りの検出で十分となり、レンジングコードのチェックに掛る負荷は大幅に削減することができる。
【００４７】
つぎに、図８に示すアンテナＩＤとレンジングコードの関係の通知方法について説明する。１例として、次の図に示すメッセージによる通知が挙げられる。
図９は、第１の実施の形態による基地局が報知するアンテナとレンジングのグループ分けを移動機に指示するメッセージの例である。基地局は報知情報として、メッセージＩＤのついた情報を送信する。例では、メッセージＩＤで0x0dが該当するメッセージであったとする。メッセージの中身として、続いてアンテナグループの数を宣言する。アンテナグループの数は、例えば図８の例では、アンテナＩＤによって、送信可能なレンジングの範囲を規定しているグループが５つあるので、５つのアンテナグループを宣言する。次に各アンテナグループ毎の内容について規定するＦｏｒループに入る。本Ｆｏｒループでは、まずアンテナグループに含まれるアンテナＩＤの数が指定される。その数に従い、次にアンテナＩＤのＦｏｒループに入る。中ではアンテナＩＤが一つ一つ指定される。アンテナＩＤの指定が完了すると、次に送信可能なレンジングコードの指定を行う。そのため、本アンテナグループで送信可能なレンジングコードの数を指定する。次にレンジングコード数のＦｏｒループに入る。中では送信可能なレンジングコードを一つ一つ指定される。このようにして、各アンテナグループのアンテナＩＤとレンジングコードとの関連性が規定される。
【００４８】
従来の方法で、アンテナＩＤとレンジングコードに規定がない場合には、移動機は、報知情報から、レンジングとして利用可能な範囲が指定される。移動機は、その情報に基づき、最寄りのアンテナに関係なく、指定されたレンジングコードの中から選択してレンジングコードを決定する。基地局側では、アンテナとレンジングコードに関係性がないため、全てのアンテナに対して、全てのレンジングコードに関する相関演算を行う必要があり、処理量がアンテナ数に比例して増大してしまう。
【００４９】
これに対して、本発明及び本実施の形態では、基地局は、受信した信号に対して、レンジングコードが含まれていないかをチェックし、レンジングコードが含まれている場合、「移動機が送信可能なレンジングの情報」を参照することにより、レンジングを受信するアンテナのアンテナＩＤに対する、複数のレンジングコードについてのサーチを行い、レンジングコードを特定する（ステップ４１４）。つぎに、ＤＡＳでは、どのアンテナを利用するかを基地局が決める必要があるため、基地局は、アンテナリソースの割当てを行う（ステップ４１５）。標準上は規定がないが、アンテナリソースの割当てを移動機に通知しておくと、移動機が異なるアンテナに移動した場合に、移動機側からそのことを通知できる。そのため、基地局は、移動機に対してアンテナリソースの割当てを通知している（ステップ４１６）。
【００５０】
２．第１の実施の形態の変形例
以上説明した本実施の形態では、アンテナのコードを分ける方法を提示したが、それ以外の方法でも、本発明は実施可能である。例えば、レンジングを送信するタイミングをアンテナＩＤ毎に分けることも本発明の範疇である。
この場合は、例えば、「移動機が送信可能なレンジングの情報」の代わりに、「移動機がレンジングを送信可能なタイミング情報」を用いる。
【００５１】
図１０は、第１の実施の形態の変形例による基地局が報知するアンテナとレンジングの送信タイミングのグループ分けの例である。この図では、アンテナＩＤに対して、送信タイミングが指定されている。この例では、送信タイミングは、Ｔ０〜Ｔ３等のように時間範囲を定めているが、これに限らず、アンテナＩＤに対して時刻を指定してもよい。
【００５２】
また、図１１は、第１の実施の形態の変形例によるレンジングコードの選択を用いたシーケンス図の例である。
移動機は、基地局が報知する報知情報を予め受信している（ステップ５１０）。移動機は、基地局が送信する報知情報を受信することにより、図１０に示すような、「移動機がレンジングを送信可能なタイミング情報」についての情報、及び、移動機が選択可能な複数のレンジングコード、を取得している。なお、移動機が選択可能な複数のレンジングコードは、図２のステップ４０１「レンジングの送信方法についての情報」等のように、例えば、他のメッセージにより基地局から移動機に予め設定することができる。基地局は、「移動機がレンジングを送信可能なタイミング情報」を記憶部に記憶している。また、移動機は、アンテナＩＤを受信し（ステップ５１１）、最も強い信号を受信できるアンテナを特定している。
【００５３】
移動機は、基地局が送信するアンテナを特定するアンテナＩＤ（ミッドアンプル）を受信すると、そのアンテナＩＤと、報知情報の「移動機がレンジングを送信可能なタイミング情報」を使って、送信可能なタイミングを導き出す（ステップ５１２）。また、移動機は、基地局から報知された選択可能なレンジングコードから、１つのレンジングコードをランダムに（又は予め定められた順序で）選択する（ステップ５１２）。移動機は選択したレンジングコードを、導き出したタイミング、基地局が予め指定する周波数において送信する（ステップ５１３）。
【００５４】
基地局は、受信した信号に対して、レンジングコードが含まれていないかをチェックし、レンジングコードが含まれている場合、図１０の「移動機がレンジングを送信可能なタイミング情報」を参照することにより、レンジングを受信するアンテナのアンテナＩＤに対する、送信タイミングに従い、予め定められた時間範囲若しくは時刻、又は、指定された時刻の前後の所定時間範囲等についてのサーチを行い、レンジングコードを特定する（ステップ５１４）。つぎに、ＤＡＳでは、どのアンテナを利用するかを基地局が決める必要があるため、基地局は、アンテナリソースの割当てを行う（ステップ５１５）。標準上は規定がないが、アンテナリソースの割当てを移動機に通知しておくと、移動機が異なるアンテナに移動した場合に、移動機側からそのことを通知できる。そのため、基地局は、移動機に対してアンテナリソースの割当てを通知している（ステップ５１６）。
【００５５】
本実施の形態では、レンジングコードの総数に制限がある場合においても、アンテナ毎に同一のレンジングコードを使いまわすことができるので、効果をもたらす。また、一度に処理しなければならない負荷を時間的に分散させる効果があるため、課題を解決することができる。
【００５６】
３．レンジング信号検出
レンジング信号検出の例を説明する。以下で示すレンジング信号検出処理は、例えばレンジング検出部２１８等で実行される。
基地局は、ＦＦＴ処理を行い、図７に示すレンジング領域を取り出した後、サブキャリアに分割された情報に対して、
【数１】
0005357216.tif 000002
で示す演算を行い、コードを切り替えながら、送信されたレンジングコードを検出する。ここでＲｉは相関検出値で、この値が予め定められた閾値よりも大きい場合に、該当するレンジングコードを検出したとみなす。ｙｈ（ｋ）はアンテナｈのサブキャリヤｋの受信信号である。ｃｉ（ｋ）は、コード番号がi番目のレンジングコードのサブキャリヤｋのコードである。なお、＊は、共役を示す。レンジングは伝搬路推定ができない。そこで、隣接するサブキャリヤ間の伝搬路推定結果は殆ど変わらないと仮定し、隣接するサブキャリアを用いて伝搬路の影響部分を打ち消して相関をとる。
【００５７】
レンジングコードは、ＩＥＥＥ８０２．１６の例では、
【数２】
0005357216.tif 000003
で示されるＺａｄｏｆｆ―Ｃｈｕコードを使う。ここで、ＮＲＰは、コードを占めるサブキャリヤ数、ｒｐは母関数のパラメータ、ｓｐは、ＮＣＳはをそれぞれ示す。ｋはサブキャリヤの番号を示す。
【００５８】
レンジング信号の遅れの検出は、数１で検出されたコードを使い、
【数３】
0005357216.tif 000004
で示される演算を行い、少し離れたサブキャリヤ（距離int）間の平均的な位相回転から、推定することができる。例えば得られた位相回転がΔであったとすると、Δ/（２π/ＦＦＴサイズ）サンプル分のずれが発生していたことを検知することができる。
基地局は、得られた遅延情報から、タイミングの補正値を計算する。例えばδサンプル遅れて信号が受信された場合、補正情報として、δサンプル送信を早める指示を移動局に対して送信する。図３では、アンテナ割当て（４１６）のメッセージの中にタイミングの補正指示が含まれる。
【００５９】
本実施の形態では、アンテナＩＤはミッドアンブルを用いて行う例を説明したが、プリアンブルでもよい。アンテナを特定する目的で、特定のコードをＯＦＤＭシンボルに割りつけるものであれば、名称の如何に関わらず本発明及び本実施の形態の範疇である。
【００６０】
４．第２の実施の形態
通信状態に入り、周期的にレンジングを送信する場合について、本発明の第２の実施の形態について説明する。
図４は、第２の実施の形態によるレンジング送信において、アンテナグループのネゴシエーションを行うシーケンス図の例である。この例は、主に、同期状態で送信するレンジングに関するものであり、例えば、通信状態において送信するレンジングで、移動機の移動に伴って変化する受信タイミングを常に正しいタイミングとなるように制御するために使われる。
【００６１】
本実施の形態では、移動機はアンテナＩＤを定期的に監視している。移動機の移動等により、最適な受信品質を与えるアンテナが切り替わり、異なるアンテナＩＤが最適な受信対象となった場合に、移動機は、アンテナＩＤに基づき、基地局が報知しているアンテナグループが変化したかをチェックする。図８に示したような「移動機が送信可能なレンジングの情報」によるアンテナグループの報知方法は、実施の形態１で説明した専用のメッセージ（報知情報）によって行われる。また、レンジングレスポンスメッセージ（ステップ４１９）によって、周期レンジング（ステップ４２４）に使うレンジングコードは基地局によって予め指示されている。なお、移動機は、基地局から、レンジングコードを送信可能なタイミングを予め指示されている（例えば、図３のステップ４１０，４１１、図４ステップ４１９，４２０、又は、タイミング指示を含む他のメッセージ等による）。
【００６２】
移動機は、基地局が送信するアンテナＩＤ（ステップ４２０）を受信する。移動機では、例えば、現在まで受信されていたアンテナＩＤの信号品質と、新たに受信できたアンテナＩＤの信号品質とを比較し、新たに受信できたアンテナＩＤの信号品質の方が、従来に比べてより良い品質である場合に、最適なアンテナが変化したことを認識する。最適なアンテナが変化した場合には、移動機ではアンテナグループを変更するべきかを判断する手順が実行される（ステップ４２１）。この手順では、現在最適となったアンテナＩＤからきまるアンテナグループが、従来に属していたアンテナグループから変化したかを判定する。移動機は、図８に示す基地局から報知されているアンテナＩＤとアンテナグループとの関係から、最適なアンテナＩＤがそれまでのアンテナグループから別のアンテナグループに移ったかを判定することで、アンテナグループが変更したかを検知する。アンテナグループの変更を検知すると、移動機は、そのことを基地局に通知する（ステップ４２２）。この通知には、例えば、最適となったアンテナＩＤ又は最適となったアンテナが属するアンテナグループの識別情報等を含むことができる。移動機は、基地局からの指示（ステップ４１９）でレンジング信号を送信（ステップ４２４）している。そのレンジングコードも基地局によって指示（ステップ４１９）されている。移動機は、指示されているレンジングコードを、基地局から予め指示される送信可能なタイミングにおいて送信する（ステップ４２４）。
【００６３】
基地局側では、全てのアンテナを使って該当するレンジングコードを受信するのではなく、予め定められた基準に基づいて、特定のアンテナだけについて、該当するレンジングコードの検出を行う。その対象となるアンテナは、既に移動機から報告のあるアンテナグループの通知に基づいて行われる。移動機は、候補となるアンテナグループに変更があった場合には、すぐにそのことを通知する仕組みとなっているため、周期レンジングを受信するアンテナの選択は、上記のアンテナグループの中で十分である。
【００６４】
例えば、基地局は、最適となったアンテナＩＤを受信した場合は、図８又は他のテーブル等により、アンテナＩＤとアンテナグループとの関係を予め記憶した情報を参照し、受信したアンテナＩＤに従いアンテナグループを特定し、特定したアンテナグループ内のアンテナについて、相関処理によるレンジングコードの検出を行うことができる。一方、最適となったアンテナが属するアンテナグループの識別情報を受信した場合は、基地局は、図８又は他のテーブル等により、アンテナとアンテナグループの対応を予め記憶した情報を参照して、受信したアンテナグループ内のアンテナについて、相関処理によるレンジングコードの検出を行うことができる。さらに、基地局は、図８又は他のテーブル等を参照することにより、最適なアンテナＩＤに該当するアンテナグループのレンジングコードが限定されるので、アンテナグループの限定に加え、さらにこれらのレンジングコードに限定して相関処理を行い、受信したレンジングコードを検出することもできる。
【００６５】
よって、周期レンジングの受信で、基地局側の負荷を減らすことができ、前述の第２の課題は解決される。
基地局は、移動機が通知してくるアンテナグループの選択情報４２２に対する応答として、レンジングの受信により決定したアンテナの割当て情報を移動機に通知する（ステップ４２７）。
【００６６】
周期レンジングは、基地局によって指定されるタイミングにおいて送信可能である。また、接続状態になった後に、周期レンジングに利用するコードは移動機毎個別に基地局から指示される。周期レンジングを送信してもよいタイミングは、報知情報によって移動機に知らされる。また、個別レンジングコードは、レンジングコードを指定するメッセージ（RNG_REP）が基地局から送信され、移動機はその指示にしたがったコードにて、レンジングを送信する。送信タイミングについては、必ずしも定期的とは言えない場合もある。レンジングよりも優先順位の高い信号を送信する場合には、レンジングの送信はペンディングされ、次回の機会を待たされることとなる。
【符号の説明】
【００６７】
１０    移動機（端末）
１００〜１１２  アンテナヘッド
１５０  基地局本体装置
２０１  ＣＰＲＩインターフェース部
２０２  ＣＰ除去部
２０３  ＦＦＴ部
２０４  デマップ部
２０５  伝搬路推定部
２０６  ＭＬＤ部
２０７  デコード部
２０８  デモジュレーション部
２０９  モジュレーション部
２１０  レファレンス生成部
２１１  マップ部
２１２  空間信号処理部
２１３  ＩＦＦＴ部
２１４  ＣＰ挿入部
２１５  ＤＳＰ部
２１６  ネットワークインターフェース部
２１７  メモリ部
２１８  レンジング検出部
２１９  制御チャネルモデム部
２２０  メモリ部
【図１】
0005357216.tif 000005
【図２】
0005357216.tif 000006
【図３】
0005357216.tif 000007
【図４】
0005357216.tif 000008
【図５】
0005357216.tif 000009
【図６】
0005357216.tif 000010
【図７】
0005357216.tif 000011
【図８】
0005357216.tif 000012
【図９】
0005357216.tif 000013
【図１０】
0005357216.tif 000014
【図１１】
0005357216.tif 000015